(57)【特許請求の範囲】
【請求項１】
集合住宅の上階と下階とを仕切るコンクリートスラブに平面長円形の漏斗状に形成された排水管継手の胴部が挿通されている既存の排水設備の更新に使用される排水管継手であって、
上階の排水立て管が接続される上部受け口を同軸に備え、平面真円形に形成された上側胴部と、
前記上側胴部よりも小径の平面真円形に形成されて、その上側胴部と同軸に設けられており、下階の排水立て管が接続される下側接続部と、
前記上側胴部と前記下側接続部との間で平面長円形の漏斗状に形成されて、傾斜した外周面を備え、前記平面長円形の最大径寸法が前記上側胴部の径寸法よりも小さく設定されている中央胴部とを有しており、
前記中央胴部は、前記下側接続部と等しい径寸法で半円筒形に形成された胴部右側、胴部左側と、その胴部右側と胴部左側とをつなぐ平壁部とから構成されて、前記平板部の左右寸法が前記中央胴部の下端に近づくにつれて徐々に減少することで、前記傾斜した外周面が形成されており、
前記中央胴部は、既存の排水管継手を前記コンクリートスラブから引き抜いた後の貫通孔に挿通可能に構成されて、その中央胴部の傾斜した外周面が前記貫通孔の傾斜した内周面に当接して下方から支えられる構成であり、
前記中央胴部の内側には、流下する排水を旋回させるための羽根が設けられていることを特徴とする排水管継手。
【請求項２】
請求項１に記載された排水管継手であって、
前記羽根は、平面長円形に形成された中央胴部の胴部右側、あるいは胴部左側に設けられていることを特徴とする排水管継手。
【発明の詳細な説明】
【技術分野】
【０００１】
本発明は、集合住宅の上階と下階とを仕切るコンクリートスラブに平面長円形の漏斗状に形成された排水管継手の胴部が挿通されている既存の排水設備の更新に使用される排水管継手に関する。
【背景技術】
【０００２】
図５には、築２０年を超える中層の集合住宅において多く使用されている排水設備１００の側面図が記載されている。前記排水設備１００は、高さ方向に延びる排水立て管１０２と、各階に設けられた排水横枝管（図示省略）と、上階と下階の排水立て管１０２を接続するとともに、上階の排水横枝管を排水立て管１０２に接続するための排水管継手１２０とを備えている。前記排水管継手１２０は、上階の排水立て管１０２から流下する排水を横方向（図では左方向）に曲げることで減速させ、胴部１２２の左側を流下させた後、下階の排水立て管１０２に導けるように構成されている。そして、胴部１２２の右側に前記排水横枝管からの排水が導かれるようになっている。これにより、上階の排水立て管１０２から流下する排水と、前記排水横枝管から流入する排水とが干渉し難くなる。
上記排水管継手１２０では、上階の排水立て管１０２の排水を胴部１２２の左側、前記排水横枝管の排水を胴部１２２の右側に導く構成のため、胴部１２２は平面長円形に形成されており、その胴部１２２の下部は平面長円形の漏斗状に形成されている。そして、排水管継手１２０の胴部１２２の下部が集合住宅の上階と下階とを仕切るコンクリートスラブＣに挿通されている。
ここで、胴部１２２の片側に上階の排水立て管１０２の排水を導き、胴部１２２の別の側に前記排水横枝管の排水を導く構成の排水管継手が特許文献１に記載されている。
【０００３】
上記した排水設備１００を更新する場合には、先ず、既存の排水立て管１０２と排水横枝管とを切断して撤去した後、既存の排水管継手１２０とコンクリートスラブＣとの間を埋めるモルタルＭを破壊して既存の排水管継手１２０とを撤去する。次に、新たな排水管継手（図示省略）の胴部の外径寸法に合わせ、既存の貫通孔ＣＨの位置に新たな大径の貫通孔を形成する。そして、新たに形成した貫通孔を利用して新たな排水管継手をセットし、この排水管継手を使用して新たな排水立て管及び排水横枝管を配管する。
【先行技術文献】
【特許文献】
【０００４】
【特許文献１】特開２００１−５０４６０号公報
【発明の概要】
【発明が解決しようとする課題】
【０００５】
しかし、上記した排水設備１００の更新方法では、既存の排水管継手１２０とコンクリートスラブＣ間を埋めるモルタルＭを破壊してその排水管継手１２０を撤去した後、コンクリートスラブＣに新たな大径の貫通孔を形成する必要がある。このため、更新工事が大掛かりになるとともに、振動、騒音、粉塵が発生する。また、貫通孔の開口時における泥水等の処理、養生が必要である。
【０００６】
本発明は、上記問題点を解決するためになされたものであり、本発明の技術的課題は、既存の排水管継手をコンクリートスラブから引き抜いた後の貫通孔を利用して新たな排水管継手を設置できるようにし、更新工事が大掛かりにならないようにするとともに、振動、騒音、粉塵が発生しないようにすることである。
【課題を解決するための手段】
【０００７】
上記した課題は、各請求項の発明によって解決される。
請求項１の発明は、集合住宅の上階と下階とを仕切るコンクリートスラブに平面長円形の漏斗状に形成された排水管継手の胴部が挿通されている既存の排水設備の更新に使用される排水管継手であって、上階の排水立て管が接続される上部受け口を同軸に備え、平面真円形に形成された上側胴部と、前記上側胴部よりも小径の平面真円形に形成されて、その上側胴部と同軸に設けられており、下階の排水立て管が接続される下側接続部と、前記上側胴部と前記下側接続部との間で平面長円形の漏斗状に形成されて、傾斜した外周面を備え、前記平面長円形の最大径寸法が前記上側胴部の径寸法よりも小さく設定されている中央胴部とを有しており、前記中央胴部は、前記下側接続部と等しい径寸法で半円筒形に形成された胴部右側、胴部左側と、その胴部右側と胴部左側とをつなぐ平壁部とから構成されて、前記平板部の左右寸法が前記中央胴部の下端に近づくにつれて徐々に減少することで、前記傾斜した外周面が形成されており、前記中央胴部は、既存の排水管継手を前記コンクリートスラブから引き抜いた後の貫通孔に挿通可能に構成されて、その中央胴部の傾斜した外周面が前記貫通孔の傾斜した内周面に当接して下方から支えられる構成であり、前記中央胴部の内側には、流下する排水を旋回させるための羽根が設けられていることを特徴とする。
【０００８】
本発明によると、排水管継手の中央胴部は、既存の排水管継手をコンクリートスラブから引き抜いた後の平面長円形の漏斗状に形成された貫通孔に挿通可能に構成されて、その中央胴部の傾斜した外周面が前記貫通孔の傾斜した内周面に当接して下方から支えられるように構成されている。即ち、既存の排水管継手をコンクリートスラブから引き抜いた後の貫通孔を利用して新たな排水管継手を設置できるようになる。
これにより、モルタルを破壊したり、既存の貫通孔の位置に大径の貫通孔を空け直す必要がなくなるため、その分だけ更新作業工数を削減できるとともに、振動や騒音が小さく、粉塵や開口時の泥水の処理、養生が不要となる。
また、排水管継手の中央胴部の内側には、流下する排水を旋回させるための羽根が形成されているため、流下する排水を旋回により減速させて、排水効率を向上させることができる。このため、既存の排水管継手と比べて排水性能が低下しない。
【０００９】
請求項２の発明によると、羽根は、平面長円形に形成された中央胴部の胴部右側、あるいは胴部左側に設けられていることを特徴とする。
このため、羽根の突出端から中央胴部の中心までの寸法を比較的大きく設定することができ、排水管継手の中心の通気部分を良好に確保できるようになる。
【発明の効果】
【００１０】
本発明によると、既存の排水管継手をコンクリートスラブから引き抜いた後の貫通孔を利用して新たな排水管継手を設置できるようになり、更新工事が大掛かりにならず、また、振動、騒音、粉塵が発生しない。
【図面の簡単な説明】
【００１１】
【図１】本発明の実施形態１に係る排水管継手を使用した集合住宅の排水設備の更新方法を表す側面（Ａ図、Ｂ図）である。
【図２】本発明の実施形態１に係る排水管継手の下胴本を表す縦断面図（Ａ図）、平面図（Ｂ図）、Ａ図のＣ−Ｃ矢視図（Ｃ図）、及び中央胴部の平断面図（Ｄ図）である。
【図３】前記排水管継手と既存の排水管継手との大きさを比較した状態を表す正面図（Ａ図）、側面図（Ｂ図）である。
【図４】既存の排水管継手を撤去する際の側面図（Ａ図）、前記排水管継手の撤去後の貫通孔を表す縦断面図（Ｂ図）、及び前記貫通孔の平面図（Ｃ図）である。
【図５】従来の排水設備を表す側面図である。
【発明を実施するための形態】
【００１２】
［実施形態１］
以下、図１〜図４に基づいて本発明の実施形態１に係る排水管継手２０及びこの排水管継手２０を使用した排水設備１０の更新方法について説明する。
＜排水管継手２０について＞
本実施形態に係る排水管継手２０は、図５に示す旧式の排水設備１００を更新する際に使用される継手であり、既存の排水管継手１２０をコンクリートスラブＣの貫通孔ＣＨから引き抜いた後、その貫通孔ＣＨにセットできるように構成されている。
本実施形態に係る排水管継手２０は、図１に示すように、上下分割式の胴部を備えており、その胴部が略円筒状の上胴体２２と下胴体３０とから構成されている。上胴体２２は下端位置に下部フランジ２９を備えており、下胴体３０はその上端位置に上部フランジ３１を備えている。そして、上胴体２２の下部フランジ２９と下胴体３０の上部フランジ３１とがパッキン（図示省略）を介して連結されることで、上胴体２２と下胴体３０とが水密な状態で同軸に連結される。
上胴体２２の上端部には、図１に示すように、排水立て管１２（耐火二層管）の内管１１の下端挿し口１１ｓが挿入接続される上部受け口２４が形成されている。上部受け口２４の内側には、排水立て管１１の下端挿し口１１ｓと上部受け口２４間を水密な状態でシールする略筒状のシール材（図示省略）が嵌め込まれている。
また、上胴体２２は、上部受け口２４よりも下側の位置が若干拡径されており、その拡径部分の側面に汚水用の排水横枝管（図示省略）が挿入接続される上部横枝管受け口２５が横向きに形成されている。上部横枝管受け口２５の内側には、前記汚水用の排水横枝管の挿し口と上部横枝管受け口２５間を水密な状態でシールする略筒状のシール材（図示省略）が嵌め込まれている。
【００１３】
排水管継手２０の下胴体３０は、図２（Ａ）に示すように、上側胴部３４と、中央胴部３５と、下側接続部３６とから構成されている。下胴体３０の上側胴部３４は、上胴体２２の拡径部分と等しい径寸法に設定されており、その側面に雑排水用の排水横枝管（図示省略）が挿入接続される下部横枝管受け口３２が横向きに形成されている。また、上側胴部３４の内周面３４ｅには、下部横枝管受け口３２の上側に、流下する排水を下部横枝管受け口３２の開口部分に流入させないように庇部３８が設けられている。
上側胴部３４は、図２（Ｂ）に示すように、内径Ｒ０の真円状に形成されており、内径Ｒ１の真円状に形成された小径の下側接続部３６と同軸に位置決めされている（Ｒ１＜Ｒ０）。
【００１４】
中央胴部３５は、図２（Ｂ）の太線で示すように、下部横枝管受け口３２の軸方向（左右方向）に長く形成された平面長円形の胴部であり、図１（Ｂ）に示すように、既存の排水管継手１２０を引き抜いた後のコンクリートスラブＣの貫通孔ＣＨに挿入可能なように構成されている。
中央胴部３５は、図２（Ｄ）に示すように、半円筒形の胴部右側３５１と、同じく半円筒形の胴部左側３５２と、胴部右側３５１と胴部左側３５２をつなぐ平壁部３５４とから構成されている。そして、半円筒形の胴部右側３５１が下側接続部３６と同軸（中心Ｏ）に位置決めされて等しい内径Ｒ１に設定されている。また、半円筒形の胴部左側３５２は、胴部右側３５１と等しい径寸法（＝Ｒ１）で中心Ｏｘの位置が胴部右側３５１の中心Ｏから左に寸法（Ｒ０−Ｒ１）だけずれて位置決めされている。即ち、中央胴部３５の胴部左側３５２の外周面左端位置が、上側胴部３４の外周面左端位置と連続するようになる（図２（Ａ）参照）。
さらに、中央胴部３５の下部では、胴部右側３５１と胴部左側３５２をつなぐ平壁部３５４の長さ寸法（左右寸法）が下端に近づくにつれて徐々に減少し、胴部左側３５２が胴部右側３５１に近づくようになる。これにより、中央胴部３５の下部では、胴部左側３５２の位置に傾斜した外周面３５ｓ（以下、傾斜外周面３５ｓという）（図２（Ａ）参照）が形成される。そして、中央胴部３５の下端位置では、胴部左側３５２と胴部右側３５１とが直接的に接続されて真円になり、下側接続部３６に接続される。即ち、中央胴部３５の下部は、平面長円形の漏斗状に形成されて下側接続部３６に接続されるようになる。
ここで、中央胴部３５の下部に設けられた傾斜外周面３５ｓの傾きは、図４、図５に示す既存の排水管継手１２０の胴部１２２に形成された傾斜外周面１２２ｓの傾き（貫通孔ＣＨの傾斜した内周面Ｈｓの傾き）と等しい値に設定されている。
【００１５】
中央胴部３５の胴部左側３５２の内周面３５ｅ（下部横枝管受け口３２と対向する側の内周面３５ｅ）には、流下する排水を、図２（Ｂ）において左旋回させる扇形の羽根３７が設けられている。ここで、下胴体３０の軸線に対する羽根３７の傾きθは、θ＝30°に設定されている。
下側接続部３６は、図１（Ｂ）に示すように、下階の排水立て管１２の上部受け口１２ｕに挿入接続される直管挿し口であり、排水管継手２０がコンクリートスラブＣの貫通孔ＣＨにセットされた状態で、そのコンクリートスラブＣから下方に突出するように構成されている。
また、排水管継手２０の下側接続部３６は、既存の排水管継手１２０の直管部１２４（図４（Ａ）参照）よりも若干小さい径寸法に設定されている。
ここで、前記排水管継手２０の上胴体２２、及び下胴体３０の上側胴部３４が本発明の上側胴部に相当する。
【００１６】
＜排水設備１００の更新方法について＞
次に、図５に示す排水設備１００を上記した排水管継手２０を利用して更新する手順について説明する。
先ず、図５においてコンクリートスラブＣの上側と下側とで既存の排水立て管１０２及び排水横枝管（図示省略）を切断し、その切断した既存の排水立て管１０２等を撤去する。次に、図４（Ａ）に示すように、既存の排水管継手１２０を油圧ジャッキ等（図示省略）を利用して引き抜いて撤去する。これにより、コンクリートスラブＣには、図４（Ｂ）（Ｃ）に示すように、前記排水管継手１２０の胴部１２２の下部と等しい形状、即ち、平面長円形の漏斗状に形成された貫通孔ＣＨが残される。
このようにして、既存の排水立て管１０２等、及び排水管継手１２０が撤去されると、図１（Ａ）に示すように、下階の排水立て管１２が設置された状態で、新たな排水管継手２０がコンクリートスラブＣの貫通孔ＣＨにセットされる。
【００１７】
前述のように、排水管継手２０の下側接続部３６は、既存の排水管継手１２０の直管部１２４よりも若干小さい径寸法に設定されているため、既存の排水管継手１２０の直管部１２４が引き抜かれた後の貫通孔ＣＨの開孔Ｈｈ（図４（Ｂ）（Ｃ）参照）に排水管継手２０の下側接続部３６を通すことが可能である。また、排水管継手２０の中央胴部３５に設けられた傾斜外周面３５ｓの傾きは、既存の排水管継手１２０の胴部１２２に形成された傾斜外周面１２２ｓの傾きと等しい値に設定されているため、その中央胴部３５の傾斜外周面３５ｓを貫通孔ＣＨの傾斜した内周面Ｈｓ（傾斜内周面Ｈｓ）で支えられるようになる。
このため、排水管継手２０の下側接続部３６を貫通孔ＣＨの開孔Ｈｈに通し、中央胴部３５を貫通孔ＣＨに挿入して、その中央胴部３５の傾斜外周面３５ｓを貫通孔ＣＨの傾斜内周面Ｈｓに当接させた状態で、図１（Ｂ）に示すように、排水管継手２０はコンクリートスラブＣの貫通孔ＣＨにセットされる。ここで、排水管継手２０がコンクリートスラブＣの貫通孔ＣＨにセットされる際に、その排水管継手２０の下側接続部３６は先に設置されている下階の排水立て管１２の上部受け口１２ｕに水密に挿入接続される。
このようにして、排水管継手２０がコンクリートスラブＣの貫通孔ＣＨにセットされると、次に、上階の排水立て管１２の下端挿し口１１ｓが排水管継手２０の上部受け口２４に挿入接続され、さらに上階の排水横枝管（図示省略）が排水管継手２０の上部横枝管受け口２５、下部横枝管受け口３２に挿入接続される。
図３（Ａ）（Ｂ）は、既存の排水管継手１２０と更新後の排水管継手２０との大きさを比較した正面図、側面図を表している。本実施形態に係る排水管継手２０によると、排水を横に曲げずに真っ直ぐ流下させることができるため、既存の排水管継手１２０と比較して胴部を大幅に小型化できる。
【００１８】
＜本実施形態に係る排水管継手２０の長所について＞
本実施形態に係る排水管継手２０によると、下胴体３０の中央胴部３５は、既存の排水管継手１２０をコンクリートスラブＣから引き抜いた後の平面長円形の漏斗状に形成された貫通孔ＣＨに挿通可能に構成されて、その中央胴部３５の傾斜外周面３５ｓが前記貫通孔ＣＨの傾斜内周面Ｈｓに当接して下方から支えられるように構成されている。即ち、既存の排水管継手１２０をコンクリートスラブＣから引き抜いた後の貫通孔ＣＨを利用して新たな排水管継手２０を設置できるようになる。
これにより、モルタルを破壊したり、既存の貫通孔ＣＨの位置に大径の貫通孔を空け直す必要がなくなるため、その分だけ更新作業工数を削減できるとともに、振動や騒音が小さく、粉塵や開口時の泥水の養生が不要となる。
また、排水管継手２０の中央胴部３５の内側には、流下する排水を旋回させるための羽根３７が形成されているため、流下する排水を旋回により減速させて、排水効率を向上させることができる。このため、既存の排水管継手１２０と比べて排水性能が低下しない。
さらに、羽根３７は、平面長円形に形成された中央胴部３５の長手方向における端部（左端部）に設けられているため、羽根３７の突出端から中央胴部３５の中心までの寸法を比較的大きく設定することができ、排水管継手２０の中心の通気部分を良好に確保できるようになる。
【００１９】
＜変更例＞
ここで、本発明は上記実施形態に限定されるものではなく、本発明の要旨を逸脱しない範囲における変更が可能である。例えば、本実施形態では、上胴体２２と、下胴体３０とから構成される上下分割式の排水管継手２０において、下胴体３０に上側胴部３４、中央胴部３５及び下側接続部３６を形成する例を示した。しかし、胴部を上下一体式にして、その胴部に上側胴部３４、中央胴部３５及び下側接続部３６を形成することも可能である。
また、本実施形態では、排水管継手２０の中央胴部３５に設けられた傾斜外周面３５ｓの傾きを貫通孔ＣＨの傾斜内周面Ｈｓの傾きに等しくする例を示した。しかし、貫通孔ＣＨの傾斜内周面Ｈｓで排水管継手２０の傾斜外周面３５ｓを支持できる構成であれば、両者３５ｓ，Ｈｓの傾きが多少異なっていても問題はない。
また、流下する排水を旋回させるための羽根３７の傾きθを軸心に対して30°に設定する例を示したが、傾斜角度θを30°±5°に設定することも可能である。
【符号の説明】
【００２０】
２２・・・・上胴体（上側胴部）
３０・・・・下胴体
３４・・・・上側胴部
３５・・・・中央胴部
３５ｓ・・・傾斜外周面（傾斜した外周面）
３６・・・・下側接続部
３７・・・・羽根
ＣＨ・・・・貫通孔
Ｈｓ・・・・傾斜内周面（傾斜した内周面）
θ・・・・・傾斜角度
【図１】
0005661356.tif 000002
【図２】
0005661356.tif 000003
【図３】
0005661356.tif 000004
【図４】
0005661356.tif 000005
【図５】
0005661356.tif 000006